(57)【要約】【課題】携帯電話等の端末からのデータ要求に応じて送信されるコンテンツを、端末のデータ表示部の表示容量に無関係に受信し、コンテンツを失うことなくデータ表示部に効率的に表示可能にするコンテンツ表示方法および装置を提供する。【解決手段】端末１０は、サーバ２０のデータ送信部２２から送信されるデータを受信するデータ受信部１１、このデータ受信部が受信したコンテンツをデータ表示部１４の表示容量に基づいて解析して分割するデータ解析部１２、分割されたコンテンツを管理するデータ管理部１３、このデータ管理部１３で管理される分割されたコンテンツを表示するデータ表示部１４およびデータ管理部１３で管理される分割されたコンテンツをユーザが操作選択してデータ表示部１４に表示する操作部１５を備える。【選択図】図１
2005063011.tif 000002
【特許請求の範囲】
【請求項１】
データ表示部を有する端末によりブラウザを使用してサーバからユーザが希望するコンテンツを取得して、該取得したコンテンツを前記端末のデータ表示部に表示するコンテンツ表示方法において、
前記取得したコンテンツのデータ量と前記データ表示部に一度に表示可能なデータ量を比較解析し、該解析結果に基づいて前記コンテンツを複数に分割し、該分割されたコンテンツ毎に順次前記データ表示部に表示することを特徴とするコンテンツ表示方法。
【請求項２】
前記端末は、比較的表示データ量の少ないデータ表示部を有する携帯電話等であることを特徴とする請求項１に記載のコンテンツ表示方法。
【請求項３】
前記複数に分割されたコンテンツは、前記データ表示部および少なくとも１以上の仮想表示部に割り当て、前記仮想表示部に割り当てられたコンテンツをユーザの操作に応じて順次前記データ表示部に表示することを特徴とする請求項１又は２に記載のコンテンツ表示方法。
【請求項４】
前記分割されたコンテンツは、前記データ表示部にオーバレイにより表示されることを特徴とする請求項１、２又は３に記載のコンテンツ表示方法。
【請求項５】
サーバにデータを要求して取得したデータを受信するデータ受信部および前記取得したデータを表示するデータ表示部を備える端末のコンテンツ表示装置において、
前記受信部が受信したデータを解析し複数のコンテンツに分割するデータ解析部と、該データ解析部で解析されたデータを管理するデータ管理部と、該データ管理部に管理されているデータの前記データ表示部への表示を制御する操作部とを備えることを特徴とするコンテンツ表示装置。
【請求項６】
前記データ解析部は、前記データ表示部が一度に表示可能なデータ量に基づいて解析することを特徴とする請求項５に記載のコンテンツ表示装置。
【請求項７】
前記操作部は、前記データ管理部に管理されているデータを、スクロール又はオーバレイにより前記データ表示部に順次表示することを特徴とする請求項５又は６に記載のコンテンツ表示装置。
【請求項８】
前記端末は、前記データ表示部に表示されたデータを保存する保存部を備えることを特徴とする請求項５、６又は７に記載のコンテンツ表示装置。
【請求項９】
前記端末は、前記データ表示部のデータ表示容量が比較的少ない携帯電話等であることを特徴とする請求項５乃至８の何れかに記載のコンテンツ表示装置。
【発明の詳細な説明】
【技術分野】
【０００１】
本発明はコンテンツ表示方法および装置に関し、特に携帯電話等の比較的表示エリアが狭い又はデータ表示容量が少ないデータ表示部を有する端末によりインターネットにアクセスして得る情報又はデータ（以下、コンテンツという）を効果的に表示するコンテンツ表示方法および装置に関する。
【背景技術】
【０００２】
インターネットは、極めて有効な情報源である。プロバイダは、時事、経済および政治等のニュースに拘らず各種の専門的な情報データベースを有するサーバを備えている。ユーザは、ＰＣ（パーソナルコンピュータ）、携帯電話又はＰＤＡ（Personal digital Assistant:携帯情報端末）等の情報又は通信機器によりブラウザを使用して、情報検索し、必要な情報またはコンテンツをダウンロードして利用することが可能である。
【０００３】
最近の携帯電話は、インターネットへの接続機能を有し且つ高性能化している。そこで、携帯電話に中には、ＰＣと同様の情報処理機能を有するものもある。換言すると、携帯電話により取得可能な情報量が、ＰＣと同様に増加している。
【発明の開示】
【発明が解決しようとする課題】
【０００４】
しかし、ＰＣは一般に比較的大きい表示エリアの表示装置（ディスプレイ）を有するが、携帯電話又はＰＤＡ等は、その性質上携帯性を考慮して小型化されている。従って、その表示部は、比較的表示エリアが制限され（即ち、狭く）、取得した多量の情報を効果的に表示することが困難である。そこで、携帯性を損なうことなく、多くの情報を表示するための努力がなされている。例えば、表示部の近傍に複数のファンクションキーを設け、インターネットから取得したコンテンツの他に各キーの機能を説明するガイダンス表示を行い、ユーザが何れかのファンクションキーを押下すると、コンテンツを縮小表示すると共にガイダンス表示を拡大表示する移動無線端末装置が開示されている（例えば、特許文献１参照。）。
【特許文献１】特開２００１−３６６２７号公報（第３−５頁、第１−４図）
【０００５】
また、画面サイズが小さい端末計算機に対して画面サイズが大きい情報を、情報量を落とすことなく表示可能にするために、画面を複数に分割し、分割画面情報を選択して表示する情報変換装置および情報変換方法が開示されている（例えば、特許文献２参照。）。
【特許文献２】特開２００１−１０９６５５号公報（第４−５頁、第１−４図）
【０００６】
しかし、これら従来の表示方法では、取得できる情報量を効率的且つ迅速に狭い表示画面に表示することが困難であった。そこで、本発明は、サーバから取得した多量のコンテンツを、ユーザが、狭い表示領域に効率的に表示可能なコンテンツ表示方法および装置を提供することを目的とする。
【課題を解決するための手段】
【０００７】
前述の課題を解決するため、本発明によるコンテンツ表示方法および装置は次のような特徴的な構成を採用している。
【０００８】
（１）データ表示部を有する端末によりブラウザを使用してサーバからユーザが希望するコンテンツを取得して、該取得したコンテンツを前記端末のデータ表示部に表示するコンテンツ表示方法において、
前記取得したコンテンツのデータ量と前記データ表示部に一度に表示可能なデータ量を比較解析し、該解析結果に基づいて前記コンテンツを複数に分割し、該分割されたコンテンツ毎に順次前記データ表示部に表示するコンテンツ表示方法。
【０００９】
（２）前記端末は、比較的表示データ量の少ないデータ表示部を有する携帯電話等である上記（１）のコンテンツ表示方法。
【００１０】
（３）前記複数に分割されたコンテンツは、前記データ表示部および少なくとも１以上の仮想表示部に割り当て、前記仮想表示部に割り当てられたコンテンツをユーザの操作に応じて順次前記データ表示部に表示する上記（１）又は（２）のコンテンツ表示方法。
【００１１】
（４）前記分割されたコンテンツは、前記データ表示部にオーバレイにより表示される上記（１）、（２）又は（３）のコンテンツ表示方法。
【００１２】
（５）サーバにデータを要求して取得したデータを受信するデータ受信部および前記取得したデータを表示するデータ表示部を備える端末のコンテンツ表示装置において、
前記受信部が受信したデータを解析し複数のコンテンツに分割するデータ解析部と、該データ解析部で解析されたデータを管理するデータ管理部と、該データ管理部に管理されているデータの前記データ表示部への表示を制御する操作部とを備えるコンテンツ表示装置。
【００１３】
（６）前記データ解析部は、前記データ表示部が一度に表示可能なデータ量に基づいて解析する上記（５）のコンテンツ表示装置。
【００１４】
（７）前記操作部は、前記データ管理部に管理されているデータを、スクロール又はオーバレイにより前記データ表示部に順次表示する上記（５）又は（６）のコンテンツ表示装置。
【００１５】
（８）前記端末は、前記データ表示部に表示されたデータを保存する保存部を備える上記（５）、（６）又は（７）のコンテンツ表示装置。
【００１６】
（９）前記端末は、前記データ表示部のデータ表示容量が比較的少ない携帯電話等である上記（５）乃至（８）の何れかのコンテンツ表示装置。
【発明の効果】
【００１７】
本発明のコンテンツ表示方法および装置によると、次の如き実用上の顕著な効果が得られる。端末が備えるデータ表示部の表示容量よりも多量のデータを含むコンテンツを取得してデータ表示部に表示することが可能である。また、サーバから取得したデータ（コンテンツ）は、データ表示部の表示容量に応じてデータ管理部に管理されるので、ユーザが操作部を操作して迅速に選択表示可能である。更に、選択表示モードも、スクロール又はオーバレイ等の任意のモードで順次選択して表示可能である。
【実施例１】
【００１８】
以下、本発明のコンテンツ表示方法および装置の実施例を構成および動作を、添付図面を参照して詳細に説明する。
【００１９】
先ず、図１は、本発明によるコンテンツ表示装置の実施例１の構成を示すブロック図である。このコンテンツ表示装置は、端末１０およびサーバ２０により構成され、これら端末１０およびサーバ２０間は、ネットワーク（インターネット）３０により接続される。端末１０は、データ受信部１１、データ解析部１２、データ管理部１３、液晶表示パネル等のデータ表示部１４および操作部１５を含んでいる。また、サーバ２０は、データ（又はデータベース）２１およびデータ送信部２２を含んでいる。
【００２０】
ここで、端末１０は、携帯電話等の通信装置であると共に情報処理装置である。この端末１０は、ブラウザを使用してネットワーク３０を介してサーバ２０からデータを取得する機能を有する。一方、サーバ２０は、データベース２１に保存されているコンテンツを、データ送信部２２を介して、端末１０からの要求に応じて端末１０へ送信する機能を有する。
【００２１】
端末１０のデータ受信部１１は、サーバ２０のデータ送信部２２より送信されるデータを受信する。データ解析部１２は、データ受信部１１が受信したデータの大きさ（サイズ）を解析する。後述する如く、データ解析部１２は、データ表示部１４の表示画面のサイズとサーバ２０から受信したデータのサイズを比較し、どのようにデータ表示部に表示するかを決定する。データ管理部１３は、データ解析部１２で解析されたデータを管理する。データ表示部１４は、複数の仮想表示画面を有し、データ管理部１３に管理されているデータを選択的に表示する。操作部１５は、ユーザ（利用者）の操作により、データ表示部１４に表示されるデータを選択する。
【００２２】
次に、図２および図３を参照して、図１に示すコンテンツ表示装置の動作を説明する。図２（Ａ）〜（Ｃ）は図１のコンテンツ表示装置の説明図であり、図３は図１に示すコンテンツ表示装置のシーケンス図である。
【００２３】
先ず、端末１０がサーバ２０から取得したコンテンツのデータが、データ表示部１４のデータ表示容量を超える多量である場合には、例えば図２（Ａ）に示す如く、取得したコンテンツのデータを、実質的に端末１０のデータ表示部１４のデータ表示容量に応じて、それぞれ縦方向に連続する複数の仮想表示画面ａ、ｂおよびｃに分割する。そして、後述する如く、ユーザによる操作部１５の操作により、これら複数の画面を縦方向へ移動して、例えばデータａ、データｂおよびデータｃの如く選択して表示する。これにより、複数の仮想画面に分割されたデータが、ユーザの選択操作により迅速にスクロールモード等により順次表示可能である。また、必要に応じて、後の画面から前の画面へ戻すこと、即ち表示画面の前進又は後退が可能である。
【００２４】
また、端末１０がサーバ２０から取得したコンテンツのデータは、例えば図２（Ｂ）に示す如く、複数の仮想画面としてオーバレイ（重ね合わせ）させ、最も上の表示画面のみ、その全体がデータ表示部１４に可視表示されるようにしてもよい。このような仮想画面および表示方法の採用により、選択表示されるコンテンツ量がユーザに一目瞭然である。
【００２５】
更に、仮想画面は、上述した図２（Ａ）および（Ｂ）に限定されず、図２（Ｃ）の如く横方向に画面ａ〜ｃを設定してもよいこと勿論である。この場合にも、上述した図２（Ａ）と同様の効果が得られる。
【００２６】
次に、図３のシーケンス図を参照して、端末１０のユーザによるコンテンツ取得から表示までの一連の動作手順を説明する。先ず、ユーザは、例えば携帯電話である端末１０の通信機能により、Ｗｅｂブラウザを使用してインターネット３０を介してサーバ２０にアクセスし、そのデータベース２１から希望するコンテンツのデータ送信要求する（ステップＡ１）。このデータ送信要求により、サーバ２０のデータ送信部２２は、端末１０に対してデータを送信する（ステップＡ２）。このデータ送信を受けた端末１０は、そのデータ受信部１１にて受信する。
【００２７】
次に、端末１０のデータ受信部１１が受信したコンテンツのデータは、データ解析部１２へ送られ、データ解析を行う（ステップＡ３）。即ち、データ解析部１２は、サーバ２０から取得したコンテンツのデータ量をデータ表示部１４のデータ表示容量に基づいて解析し、データ表示部１４に対してどのように表示するかを決定する。このデータ解析部１２の解析結果は、データ管理部１３へ送られる（ステップＡ４）。
【００２８】
上述したデータ管理部１３は、データ解析部１２の解析結果に基づき、取得したコンテンツのデータ量が、データ表示部１４に一度に表示可能なデータ量（単位データ量）である場合には、そのまま表示する。しかし、この単位データ量を超える場合には、図２を参照して上述の如く、複数の仮想表示画面ａ、ｂ、ｃの如く分割して、データ管理部１３に渡す。そして、ユーザによる操作部１５の操作（ステップＡ５）に応じて、データ管理部１３からデータ表示部１４に表示されるコンテンツのデータを、上述したａ、ｂ又はｃの如く分割された単位でデータ表示する（ステップＡ６）。
【実施例２】
【００２９】
図１を参照して上述した構成と類似するが、更に不揮発性の半導体メモリ等による保存部を設け、データ表示部に表示されたコンテンツを保存することが可能である。これにより、一度取得してデータ表示部に表示されたコンテンツの全て又は選択されたコンテンツ部分を、ユーザの希望により保存することが可能である。この保存部に保存されたコンテンツは、保存部の最大容量に達すると、ユーザに警告し、例えば最も古い保存データから順次削除して、順次新たなコンテンツを保存部に保存するようにしてもよい。
【００３０】
以上、本発明によるコンテンツ表示方法および装置の好適実施例の構成および動作を詳述した。しかし、斯かる実施例は、本発明の単なる例示に過ぎず、何ら本発明を限定するものではないことに留意されたい。本発明の要旨を逸脱することなく、特定用途に応じて種々の変形変更が可能であること、当業者には容易に理解できよう。
【図面の簡単な説明】
【００３１】
【図１】本発明によるコンテンツ表示装置の実施例の構成を示すブロック図である。
【図２】図１に示すコンテンツ表示装置のコンテンツ表示方法の説明図である。
【図３】図１に示すコンテンツ表示装置の動作を説明するシーケンス図である。
【符号の説明】
【００３２】
１０  端末（携帯電話）
１１  データ受信部
１２  データ解析部
１３  データ管理部
１４  データ表示部
１５  操作部
２０  サーバ
２１  データベース
２２  データ送信部
３０  インターネット
【図１】
2005063011.tif 000003
【図２】
2005063011.tif 000004
【図３】
2005063011.tif 000005